(57)【特許請求の範囲】
【請求項１】
液吸収性の吸収体を有する使い捨ておむつであって、
前記使い捨ておむつのサイズを示し、且つ、前記使い捨ておむつの非肌側から視認可能であるサイズ表記部が設けられており、
前記サイズ表記部は、前記使い捨ておむつの幅方向の中央を跨ぐように配置されており、
３０００グラム以下の低体重児の腹側に前記幅方向に沿って配される腹側部と、前記低体重児の股間に配される股下部と、前記低体重児の背側に前記幅方向に沿って配される背側部とを、前記幅方向と直交する長手方向に並んで有し、
前記背側部における前記幅方向の各端部にそれぞれ設けられたファスニングテープを介して前記各端部をそれぞれ前記腹側部に係止し、
前記使い捨ておむつは、前記長手方向の中央部に前記幅方向に沿った折り線を有し、
前記一つの胴回り開口部を上側、前記股下部を下側とすると、前記サイズ表記部は、前記腹側部において、前記折り線で二つ折りした前記使い捨ておむつの上下方向の中央よりも上側に配置されており、
前記背側部において、前記サイズ表記部とは異なる背側サイズ表記部が設けられており、
前記サイズ表記部は、前記背側サイズ表記部よりも大きい
ことを特徴とする使い捨ておむつ。
【請求項２】
請求項１に記載の使い捨ておむつであって、
前記サイズ表記部は、前記幅方向及び前記幅方向と直交する長手方向において、前記吸収体と半分以上重なるように配置される
ことを特徴とする使い捨ておむつ。
【請求項３】
請求項１に記載の使い捨ておむつであって、
前記サイズ表記部は、前記幅方向及び前記幅方向と直交する長手方向において、前記吸収体と完全に重なるように配置される
ことを特徴とする使い捨ておむつ。
【請求項４】
請求項１から請求項３のいずれか１項に記載の使い捨ておむつであって、
前記サイズ表記部は、所定の図柄の内側に位置している
ことを特徴とする使い捨ておむつ。
【請求項５】
請求項４に記載の使い捨ておむつであって、
前記所定の図柄の面積は、前記サイズ表記部の面積よりも大きい
ことを特徴とする使い捨ておむつ。
【請求項６】
請求項１から請求項５のいずれか１項に記載の使い捨ておむつであって、
前記サイズ表記部の一部は、前記長手方向において、前記吸収体よりも外側に位置している
ことを特徴とする使い捨ておむつ。
【請求項７】
請求項１から請求項６のいずれか１項に記載の使い捨ておむつであって、
展開状態の前記使い捨ておむつを前記長手方向の中央部で二つ折りにしたとき、
前記ファスニングテープを前記幅方向に沿って前記幅方向の内側に延長させた延長領域は、前記長手方向及び前記幅方向において、前記サイズ表記部と重なる部分を有している
ことを特徴とする使い捨ておむつ。
【請求項８】
液吸収性の吸収体を有する使い捨ておむつであって、
前記使い捨ておむつのサイズを示し、且つ、前記使い捨ておむつの非肌側から視認可能であるサイズ表記部が設けられており、
前記サイズ表記部は、前記使い捨ておむつの幅方向の中央を跨ぐように配置されており、
３０００グラム以下の低体重児の腹側に前記幅方向に沿って配される腹側部と、前記低体重児の股間に配される股下部と、前記低体重児の背側に前記幅方向に沿って配される背側部とを、前記幅方向と直交する長手方向に並んで有し、
前記背側部における前記幅方向の各端部にそれぞれ設けられたファスニングテープを介して前記各端部をそれぞれ前記腹側部に係止し、
前記使い捨ておむつは、前記長手方向の中央部に前記幅方向に沿った折り線を有し、
前記一つの胴回り開口部を上側、前記股下部を下側とすると、前記サイズ表記部は、前記腹側部において、前記折り線で二つ折りした前記使い捨ておむつの上下方向の中央よりも上側に配置されており、
前記背側部において、前記サイズ表記部とは異なる背側サイズ表記部が設けられており、
前記背側サイズ表記部は、前記サイズ表記部よりも前記幅方向の外側に配置されている
ことを特徴とする使い捨ておむつ。
【請求項９】
液吸収性の吸収体を有する使い捨ておむつであって、
前記使い捨ておむつのサイズを示し、且つ、前記使い捨ておむつの非肌側から視認可能であるサイズ表記部が設けられており、
前記サイズ表記部は、前記使い捨ておむつの幅方向の中央を跨ぐように配置されており、
３０００グラム以下の低体重児の腹側に前記幅方向に沿って配される腹側部と、前記低体重児の股間に配される股下部と、前記低体重児の背側に前記幅方向に沿って配される背側部とを、前記幅方向と直交する長手方向に並んで有し、
前記背側部における前記幅方向の各端部にそれぞれ設けられたファスニングテープを介して前記各端部をそれぞれ前記腹側部に係止し、
前記使い捨ておむつは、前記長手方向の中央部に前記幅方向に沿った折り線を有し、
前記一つの胴回り開口部を上側、前記股下部を下側とすると、前記サイズ表記部は、前記腹側部において、前記折り線で二つ折りした前記使い捨ておむつの上下方向の中央よりも上側に配置されており、
前記背側部において、前記サイズ表記部とは異なる背側サイズ表記部が設けられており、
前記背側サイズ表記部は、前記幅方向において前記吸収体と重ならない部分を有する
ことを特徴とする使い捨ておむつ。
【請求項１０】
液吸収性の吸収体を有する使い捨ておむつであって、
前記使い捨ておむつのサイズを示し、且つ、前記使い捨ておむつの非肌側から視認可能であるサイズ表記部が設けられており、
前記サイズ表記部は、前記使い捨ておむつの幅方向の中央を跨ぐように配置されており、
３０００グラム以下の低体重児の腹側に前記幅方向に沿って配される腹側部と、前記低体重児の股間に配される股下部と、前記低体重児の背側に前記幅方向に沿って配される背側部とを、前記幅方向と直交する長手方向に並んで有し、
前記背側部における前記幅方向の各端部にそれぞれ設けられたファスニングテープを介して前記各端部をそれぞれ前記腹側部に係止し、
前記使い捨ておむつは、前記長手方向の中央部に前記幅方向に沿った折り線を有し、
前記一つの胴回り開口部を上側、前記股下部を下側とすると、前記サイズ表記部は、前記腹側部において、前記折り線で二つ折りした前記使い捨ておむつの上下方向の中央よりも上側に配置されており、
前記背側部において、前記サイズ表記部とは異なる背側サイズ表記部が設けられており、
前記サイズ表記部は、所定の図柄の内側に位置しており、
前記サイズ表記部が配置されている前記所定の図柄を第１の図柄とすると、
前記背側サイズ表記部は、前記第１の図柄とは異なる所定の第２の図柄の内側に位置している
ことを特徴とする使い捨ておむつ。
【請求項１１】
請求項１から請求項１０のいずれか１項に記載の使い捨ておむつであって、
前記使い捨ておむつの非肌側から視認可能なロゴマークを有し、
前記使い捨ておむつを前記折り線で二つ折りしたときに、前記上下方向において、前記ロゴマークは、前記ファスニングテープの下端よりも下側、又は、前記ファスニングテープの上端よりも上側に設けられている
ことを特徴とする使い捨ておむつ。
【請求項１２】
請求項１から請求項１１のいずれか１項に記載の使い捨ておむつであって、
前記サイズ表記部の前記幅方向の両側に、前記吸収体の前記長手方向の端縁と前記幅方向に平行な線状図柄が設けられている
ことを特徴とする使い捨ておむつ。
【発明の詳細な説明】
【技術分野】
【０００１】
本発明は、使い捨ておむつに関する。
【背景技術】
【０００２】
従来、使い捨ておむつは、一般家庭においてだけでなく、病院や施設等の医療現場においても使用されている。医療現場では、おむつ交換を行う看護師等の使用者が、使用前のみならず、使用後のおむつの重量測定時にもおむつのサイズの確認を行うことが多い。特許文献１には、製造国又は原材料を示す表示や、おむつのサイズを文字で示した表示が視認可能に配置されている使い捨ておむつが開示されている。
【先行技術文献】
【特許文献】
【０００３】
【特許文献１】特開２０１６−２２１２５５号
【発明の概要】
【発明が解決しようとする課題】
【０００４】
特許文献１の使い捨ておむつによれば、おむつの使用者（交換者）は、サイズ表示をおむつの外観から視認することが可能であるが、サイズ表示の位置によっては、使用者にとって分かりにくい場合や、皺等が寄って見えにくくなってしまう場合があった。
【０００５】
本発明は、上記のような従来の問題に鑑みてなされたものであって、その目的は、おむつの交換時に、交換者（看護師等）がサイズ表記を視認しやすい使い捨ておむつを提供することにある。
【課題を解決するための手段】
【０００６】
上記目的を達成するための主たる発明は、
液吸収性の吸収体を有する使い捨ておむつであって、前記使い捨ておむつのサイズを示し、且つ、前記使い捨ておむつの非肌側から視認可能であるサイズ表記部が設けられており、前記サイズ表記部は、前記使い捨ておむつの幅方向の中央を跨ぐように配置されており、３０００グラム以下の低体重児の腹側に前記幅方向に沿って配される腹側部と、前記低体重児の股間に配される股下部と、前記低体重児の背側に前記幅方向に沿って配される背側部とを、前記幅方向と直交する長手方向に並んで有し、前記背側部における前記幅方向の各端部にそれぞれ設けられたファスニングテープを介して前記各端部をそれぞれ前記腹側部に係止し、前記使い捨ておむつは、前記長手方向の中央部に前記幅方向に沿った折り線を有し、前記一つの胴回り開口部を上側、前記股下部を下側とすると、前記サイズ表記部は、前記腹側部において、前記折り線で二つ折りした前記使い捨ておむつの上下方向の中央よりも上側に配置されており、前記背側部において、前記サイズ表記部とは異なる背側サイズ表記部が設けられており、前記サイズ表記部は、前記背側サイズ表記部よりも大きいことを特徴とする使い捨ておむつである。
本発明の他の特徴については、本明細書及び添付図面の記載により明らかにする。
【発明の効果】
【０００７】
本発明によれば、おむつの交換時に、交換者（看護師等）がサイズ表記を視認しやすい使い捨ておむつを提供することができる。
【図面の簡単な説明】
【０００８】
【図１】展開且つ伸長した状態の使い捨ておむつ１を厚さ方向の肌側から見た概略平面図である。
【図２】図２Ａは、背側部１Ａにおける使い捨ておむつ１の概略断面図である。図２Ｂは、股下部１Ｃにおける使い捨ておむつ１の概略断面図である。
【図３】使い捨ておむつ１の概略平面図であり、立体ギャザー部５０を説明する図である。
【図４】展開且つ伸長した状態の使い捨ておむつ１を厚さ方向の非肌側から見た概略平面図である。
【図５】図５Ａは、図４の使い捨ておむつ１の腹側部１Ｂを説明する部分拡大図であり、図５Ｂは、サイズ表記部１００と吸収体２との配置関係を説明する図である。
【図６】図６Ａは、サイズ表記部１００と吸収体２との配置関係の一例を示す図であり、図６Ｂは、サイズ表記部１００と吸収体２との配置関係の別の一例を示す図である。
【図７】折り線ＦＬで二つ折りした状態のおむつ１を示す図である。
【発明を実施するための形態】
【０００９】
本明細書及び添付図面の記載により、少なくとも以下の事項が明らかとなる。
液吸収性の吸収体を有する使い捨ておむつであって、前記使い捨ておむつのサイズを示し、且つ、前記使い捨ておむつの非肌側から視認可能であるサイズ表記部が設けられており、前記サイズ表記部は、前記使い捨ておむつの幅方向の中央を跨ぐように配置されていることを特徴とする使い捨ておむつである。
【００１０】
このような使い捨ておむつによれば、おむつの幅方向の中央を跨ぐ位置は、装着時におむつの交換者（看護師等）にとって視認しやすい位置であり、それ故、おむつのサイズの確認を行い易く、サイズを誤認する可能性を低減できる。また、製品を包装袋から取り出した状態においても、幅方向の中央は、折りや皺が入る可能性が低く、サイズ表記部が綺麗に見えやすい。
【００１１】
かかる使い捨ておむつであって、前記サイズ表記部は、前記幅方向及び前記幅方向と直交する長手方向において、前記吸収体と半分以上重なるように配置されることが望ましい。
【００１２】
このような使い捨ておむつによれば、吸収体部分は、吸収体の厚みにより製品に張りがあることから、皺等が発生しにくい部分であり、そのような吸収体と幅方向及び長手方向において半分以上重なるようにサイズ表記部を設けることで、サイズ表記部のうちの大部分が視認しやすくなる。よって、交換者（看護師等）がおむつのサイズを確認しやすく、サイズを誤認する可能性を低減できる。
【００１３】
かかる使い捨ておむつであって、前記サイズ表記部は、前記幅方向及び前記幅方向と直交する長手方向において、前記吸収体と完全に重なるように配置されることが望ましい。
【００１４】
このような使い捨ておむつによれば、吸収体部分は、吸収体の厚みにより製品に張りがあることから、皺等が発生しにくい部分であり、そのような吸収体と幅方向及び長手方向において完全に重なるようにサイズ表記部を配置することで、サイズ表記部はさらに視認し易くなる。従って、交換者（看護師等）がおむつのサイズをより確認しやすく、サイズを誤認する可能性をさらに低減できる。
【００１５】
かかる使い捨ておむつであって、前記サイズ表記部は、所定の図柄の内側に位置していることが望ましい。
【００１６】
このような使い捨ておむつによれば、図柄と共にサイズ表記部が目立ち、おむつの交換者（看護師等）はサイズを確認しやすくなる。サイズ表記が図柄によって囲まれることで図柄としても認識し易くなるため、サイズを視認し易く、また、サイズを視認した際に癒し効果を与え得る。
【００１７】
かかる使い捨ておむつであって、前記所定の図柄の面積は、前記サイズ表記部の面積よりも大きいことが望ましい。
【００１８】
このような使い捨ておむつによれば、所定の図柄の面積の方が大きいことで、サイズ表記部が単なるサイズ示す数字及び文字的要素よりも柄としての要素が大きくなるため、交換者（看護師等）に癒し効果をさらに与え得る。
【００１９】
かかる使い捨ておむつであって、３０００グラム以下の低体重児の腹側に前記幅方向に沿って配される腹側部と、前記低体重児の股間に配される股下部と、前記低体重児の背側に前記幅方向に沿って配される背側部とを、前記幅方向と直交する長手方向に並んで有し、前記背側部における前記幅方向の各端部にそれぞれ設けられたファスニングテープを介して前記各端部をそれぞれ前記腹側部に係止し、前記使い捨ておむつは、前記長手方向の中央部に前記幅方向に沿った折り線を有し、前記一つの胴回り開口部を上側、前記股下部を下側とすると、前記サイズ表記部は、前記腹側部において、前記折り線で二つ折りした前記使い捨ておむつの上下方向の中央よりも上側に配置されることが望ましい。
【００２０】
このような使い捨ておむつによれば、腹側部の上下方向の中央よりも上側の位置は、装着前に製品を取り出したときに交換者（看護師等）がサイズを確認しやすい位置である。また、低体重児が装着するおむつのサイズは通常よりも小さいことから、着用中に低体重児の両親が小さいサイズのサイズ表記を視認すると、低体重児に対する心配や不安感といったネガティブな感情を抱き易い。しかし、腹側部の上下方向の中央よりも上側の位置は、おむつ装着時に、サイズ表記部がファスニングテープによって隠れる可能性が高い部分であり、装着中にサイズ表記を見えにくくさせることができる。
【００２１】
かかる使い捨ておむつであって、前記サイズ表記部の一部は、前記長手方向において、前記吸収体よりも外側に位置していることが望ましい。
【００２２】
このような使い捨ておむつによれば、低体重児用のおむつの場合、腹側部において、吸収体の長手方向の外側端の位置でおむつを幅方向に沿って折り返して使用することも多い。そのとき、吸収体よりも外側に位置しているサイズ表記部の一部が隠れることになり、見守っている低体重児の両親等からおむつのサイズが視認しにくくなる。視認しにくくなることで、小さいサイズを装着していることに対して両親がネガティブな感情を抱くことを防止できる。
【００２３】
かかる使い捨ておむつであって、展開状態の前記使い捨ておむつを前記長手方向の中央部で二つ折りにしたとき、前記ファスニングテープを前記幅方向に沿って前記幅方向の内側に延長させた延長領域は、前記長手方向及び前記幅方向において、前記サイズ表記部と重なる部分を有していることが望ましい。
【００２４】
このような使い捨ておむつによれば、おむつを装着する際、ファスニングテープをどの位置に取り付けるべきか迷った際、サイズ表記部を目印としてファスニングテープをサイズ表記部に重ねるように係止させれば、ファスニングテープを低体重児の体に対してまっすぐに貼ることができる。また、装着時に、ファスニングテープを係止させることでサイズ表記部が隠れる可能性が高くなり、サイズ表記が視認しにくいことで、両親がネガティブな感情を抱く可能性を低減する。
【００２５】
かかる使い捨ておむつであって、前記背側部において、前記サイズ表記部とは異なる背側サイズ表記部が設けられていることが望ましい。
【００２６】
このような使い捨ておむつによれば、前後で異なるサイズ表記部を有することで、前後認識がし易くなる。また、おむつの前後いずれにおいてもサイズの確認ができ、サイズの誤認をより防ぎやすくなる。
【００２７】
かかる使い捨ておむつであって、前記サイズ表記部は、前記背側サイズ表記部よりも大きいことが望ましい。
【００２８】
このような使い捨ておむつによれば、腹側部のサイズ表記部は、装着時に視認しやすい位置にあるため、ある程度目立つ大きさにすることで、交換者（看護師等）はサイズの確認がしやすくなる。また、腹側部のサイズ表記部はファスニングテープを係止させることで隠れる可能性があるため、おむつの外観から視認しにくくさせることができる。一方で、背側のサイズ表記部は、装着中も隠すことが難しいため、なるべく小さい表記である方が目立たず、低体重児の両親に気づかれ難くなる。また、装着中に低体重児が腹臥位の状態になった場合でも、背側サイズ表記部を視認されにくい。
【００２９】
かかる使い捨ておむつであって、前記背側サイズ表記部は、前記サイズ表記部よりも前記幅方向の外側に配置されていることが望ましい。
【００３０】
このような使い捨ておむつによれば、背側の表記部は装着中も隠しにくいため、なるべくおむつの幅方向外側に位置させることで、目立たなくさせる。一方で、交換者である看護師等は、交換時におむつを外し、おむつの肌側面を内側にしつつ、背側部の非肌側面が外側にくるように丸めた後におむつの重量を測定することがあるため、幅方向の外側（おむつの端寄り）に配置させることで、おむつを丸めた際にもサイズ表記を視認し易くなる。
【００３１】
かかる使い捨ておむつであって、前記背側サイズ表記部は、前記幅方向において前記吸収体と重ならない部分を有することが望ましい。
【００３２】
このような使い捨ておむつによれば、背側サイズ表記部は、吸収体と重なる部分が多いほど見えやすくなるが、吸収体と重ならない部分を有することで、視認しにくい部分を有することとなる。視認しにくくなることで、小さいサイズを装着していることに対して低体重児の両親がネガティブな感情を抱く可能性を低減する。
【００３３】
かかる使い捨ておむつであって、前記サイズ表記部は、所定の図柄の内側に位置しており、前記サイズ表記部が配置されている前記所定の図柄を第１の図柄とすると、前記背側サイズ表記部は、前記第１の図柄とは異なる所定の第２の図柄の内側に位置していることが望ましい。
【００３４】
このような使い捨ておむつによれば、おむつの前後（腹側及び背側）で図柄が異なることで、前後認識が容易になる。また、腹側のサイズ表記部がファスニングテープで隠れることも考慮して、交換者（看護師等）の誤認防止のために腹側の図柄を多少目立つようにもできる。また、背側のサイズ表記部は、装着中も隠れにくいため、背側サイズ表記部を囲む第２の図柄は、目立ちにくい図柄を用いることもできる。
【００３５】
かかる使い捨ておむつであって、前記使い捨ておむつの非肌側から視認可能なロゴマークを有し、前記使い捨ておむつを前記折り線で二つ折りしたときに、前記上下方向において、前記ロゴマークは、前記ファスニングテープの下端よりも下側、又は、前記ファスニングテープの上端よりも上側に設けられていることが望ましい。
【００３６】
このような使い捨ておむつによれば、装着中においてもロゴマークがファスニングテープの係止によって隠れず、交換者（看護師等）や見守る人（両親等）にロゴマークを見せることで製品ブランドに対する印象を高める。
【００３７】
かかる使い捨ておむつであって、前記サイズ表記部の前記幅方向の両側に、前記吸収体の前記長手方向の端縁と前記幅方向に平行な線状図柄が設けられていることが望ましい。
【００３８】
このような使い捨ておむつによれば、低体重児用のおむつは、腹側部の長手方向の端部を折り返して使用することがあり、線状図柄はその際の折り返しの基準線となる。よって、交換者（看護師等）は、当該基準線を折り返しの目安として使用できる。また、おむつが当該線状図柄の位置で折り返されることで、サイズ表記部の一部も一緒に折り込まれて見えにくくなり、装着中に低体重児の両親は、サイズ表記を視認しにくくなる。
【００３９】
＝＝＝実施形態＝＝＝
図１は、展開且つ伸長した状態の使い捨ておむつ１（以下、単におむつ１とも呼ぶ）を厚さ方向の肌側から見た概略平面図である。図２Ａは、背側部１Ａにおけるおむつ１の概略断面図である。図２Ｂは、股下部１Ｃにおけるおむつ１の概略断面図である。図３は、おむつ１の概略平面図であり、立体ギャザー部５０を説明する図である。
【００４０】
このおむつ１は、ファスニングテープ４０を用いて着用対象者に装着される展開型のおむつ１であり、特に、３０００グラム以下の低体重児に好適に使用されるものである。以下では、着用対象者を低体重児として説明するが、何等これに限らず、着用対象者は、乳児や幼児でも良いし、大人でも良い。
【００４１】
なお、おむつ１が展開した状態とは、おむつ１をその長手方向に開くことで、おむつ１を平面上に展開した状態のことである。また、おむつ１が伸長した状態とは、おむつ１の展開状態において、おむつ１に生じていた皺が実質的に視認されなくなる程におむつ１が伸長した状態であり、おむつ１を構成する各部材（例えば後述するサイドシート６等）の寸法がその部材単体の寸法と一致又はそれに近い長さになるまでおむつ１が伸長した状態である。
【００４２】
＜＜おむつの基本構成＞＞
おむつ１は、図１に示す展開状態において、互いに直行する長手方向と幅方向と厚さ方向とを有するとともに、長手方向の一方側から、背側部１Ａと、股下部１Ｃと、腹側部１Ｂと、を並んで有する。腹側部１Ｂは、おむつ１を着用する際に着用者の腹側（前側）に幅方向に沿って配される部分である。背側部１Ａは、おむつ１を着用する際に着用者の背側（後側）に幅方向に沿って配される部分である。そして、腹側部１Ｂと背側部１Ａとの間に、使用者の股間に配される股下部１Ｃが設けられている。また、厚さ方向とは、図２Ａ等に示すように、おむつ１を構成する各部材が積層された方向である。厚さ方向において、着用者に接する側を「肌側」といい、その反対側を「非肌側」という。
【００４３】
おむつ１は、図２Ａ等に示すように、尿等の排泄液を吸収する吸収体２と、吸収体２を肌側から覆う液透過性のトップシート３と、吸収体２を非肌側から覆う液不透過性の防漏シート４（以下、「バックシート４」ともいう）と、防漏シート４を非肌側から覆い、おむつ１の外形形状を成す外装シート５と、トップシート３上に幅方向に一対並んで設けられた一対のサイドシート６とを有している。
【００４４】
なお、トップシート３としては、エアースルー不織布等を例示でき、バックシート４（防漏シート４）としては、ポリエチレンフィルム等の樹脂フィルム等を例示でき、外装シート５及びサイドシート６としてはＳＭＳ不織布（スパンボンド／メルトブローン／スパンボンド不織布）等の柔軟なシートを例示できる。
【００４５】
吸収体２は、図１に示すように、平面視略長方形状であり、幅方向の中央に設けられている。吸収体２は、吸収性コア２Ａと、吸収性コア２Ａの外周面を被覆するコアラップシート２Ｂとを有する。吸収性コア２Ａは、液体吸収性素材を平面視略砂時計形状に成形したものであり、長手方向における一端部２ｇａと他端部２ｇｂとの間に、括れ部２ｃを有している。括れ部２ｃは、幅方向の寸法が、一端部２ｇａ及び他端部２ｇｂの幅方向の寸法よりも小さい。また、吸収性コア２Ａは、切欠き部（後述する切欠き部７１、７２、７３）を有している。液体吸収性素材としては、パルプ繊維等の液体吸収性繊維に高吸収性ポリマー（所謂ＳＡＰ）が含有されたものを例示できる。コアラップシート２Ｂとしては、液透過性のティッシュペーパーや不織布等を例示できるが、吸収体２がコアラップシート２Ｂを有さない形態でもよい。
【００４６】
吸収体２の幅方向両側にはサイドフラップ２０が設けられている。サイドフラップ２０は図２Ａに示すように、サイドシート６と外装シート５の一部によって構成されている。サイドフラップ２０は、背側部１Ａにおいて股下部１Ｃよりも幅方向の両外側に延出した一対の第１延出部２０Ａと、腹側部１Ｂにおいて股下部１Ｃよりも幅方向の両外側に延出した一対の第２延出部２０Ｂとを備えている。また、一対の第１延出部２０Ａの幅方向外側の各端部には、ファスニングテープ４０がそれぞれ固定されている。
【００４７】
ファスニングテープ４０は、テープ基材４１と、フック材４２とを有する。テープ基材４１は、例えば不織布製の部材であり、幅方向に長い略長方形状を成す。フック材４２（例えば面ファスナーの雄部材）は、サイドフラップ２０の第１延出部２０Ａから幅方向の外側に飛び出したテープ基材４１の部位の肌側面に設けられている。
【００４８】
このファスニングテープ４０は、腹側部１Ｂにおいて外装シート５の非肌側に設けられた所定の領域であるターゲット領域４５（図１参照）に係合可能である。本実施形態では、外装シート５を不織布にすることで、フック材４２を外装シート５（ターゲット領域４５）に直接に係止可能としている。但し、これに限らず、面ファスナーの雌部材等のフック材４２が係止され易い部材を外装シート５と別に設けてもよい。また、フック材４２の代わりに、例えば粘着テープをファスニングテープ４０に設けてもよい。
【００４９】
おむつ１を着用する際には、展開状態のおむつ１が着用者の身体にあてがわれつつ長手方向の略中央位置ＣＬ２（図１参照）にて２つ折りされ、背側部１Ａ側の一対の第１延出部２０Ａが幅方向の内側に折り返される。そして、一対のファスニングテープ４０に設けられた各フック材４２が腹側部１Ｂの非肌側面に設けられたターゲット領域４５に係止される。これにより、おむつ１の胴回り開口及び脚回り開口が形成され、着用者の身体（胴）に対しておむつ１の位置を固定することができる。
【００５０】
また、おむつ１は、幅方向の両側部の位置に、防漏壁としての一対の立体ギャザー部５０を有する。各立体ギャザー部５０は、図３に示すように、長手方向に伸縮可能な立体ギャザー部５０用の弾性部材５１（例えば糸ゴム）と、長手方向の両端部に位置し、且つ、厚さ方向に起立不能な一対の第１基端部５２と、第１基端部５２よりも幅方向の外側において、おむつ１の長手方向の全域に亘って位置し、且つ、厚さ方向に起立不能な第２基端部５３と、厚さ方向の肌側に起立可能な起立部５４とを有する。
【００５１】
第１基端部５２及び第２基端部５３は、長手方向に細長い長方形状を成し、サイドシート６がトップシート３に固定されることで形成されている。固定方法としては、例えばホットメルト接着剤による接着や溶着等の周知の方法を例示できる。なお、図３では、各立体ギャザー部５０の長手方向の各端部において、２つの第１基端部５２が幅方向に並んでいるが、この数は２つに限らない。
【００５２】
また、図２Ｂに示すように、サイドシート６の幅方向の内側の側部は肌側に折り返されており、そうして２層となったサイドシート６の間に、立体ギャザー部５０用の弾性部材５１が長手方向に伸長状態で固定されている。よって、各立体ギャザー部５０が有する一対の第１基端部５２の間のサイドシート６の部位である起立部５４は、弾性部材５１の収縮によって第２基端部５３を支点として厚さ方向の肌側に起立する。なお、図３では、各立体ギャザー部５０が有する弾性部材５１の数が１本であるが、これに限らず、複数の弾性部材５１が幅方向に並んでいてもよい。
【００５３】
また、着用者の脚回りに沿うように、おむつ１の幅方向の両側部であり、主に股下部１Ｃの位置に、長手方向に伸縮可能な一対の脚周り弾性部材７（例えば糸ゴム）が設けられている。脚回り弾性部材７は、サイドシート６の非肌側面に長手方向に伸長状態で固定されている。よって、おむつ１の着用時に、おむつ１の幅方向の各側部が着用者の脚回りにフィットし、排泄物の漏れが抑制される。なお、図１では、おむつ１の幅方向の各側部において２本の脚回り弾性部材７が幅方向に並んでいるが、この数は２本に限らない。
【００５４】
上記では、立体ギャザー部５０用の弾性部材５１、及び、脚回り弾性部材７として、糸ゴムを例示しているが、これに限らない。これらの弾性部材５１，７が、例えば糸状のポリウレタン伸縮性繊維や、熱可塑性エラストマ樹脂を溶融してフィルム状とした伸縮性フィルムや伸縮繊維からなる伸縮性不織布としてもよい。
【００５５】
また、図１に示すように、おむつ１は、背側部１Ａにファスニングテープ４０が固定されている部分（点線で表示される部分）を切り取るための切り取り線６０を有する。なお、おむつ１はファスニングテープ４０を一対有するため、切り取り線６０も一対有している。本実施形態の切り取り線６０は、ミシン目で形成されており、切り取り線６０に沿っておむつ１の一部が本体部から切り離し易くなっている。おむつ１の着用者が低体重児等である場合、うつぶせ姿勢の状態のまま、おむつ１を前後反対にして装着させることもあり、そのような場合、着用者の背中側にファスニングテープ４０が係止している状態となる。その状態からおむつを外す時、切り取り線６０を切断することで、硬いファスニングテープ４０が固定された背側部１Ａ（ここでは、腹側に装着）を低体重児の脚の間に通すことなく、おむつ１を引き抜くことができ、低体重児の肌への負担を軽減できる。
【００５６】
また、図１に示す吸収体２（吸収性コア２Ａ）には、長手方向の中央部、且つ、幅方向の両端部に一対の切欠き部７１が設けられている。同様に、長手方向の中央部と一端部２ｇａとの間において、幅方向の両端部に一対の切欠き部７２が設けられ、長手方向の中央部と他端部２ｇｂとの間において、幅方向の両端部に一対の切欠き部７３がそれぞれ設けられている。切欠き部は、本実施形態のように三対（７１、７２、７３）設けなくてもよく、任意の個数でよい。各切欠き部（７１、７２、７３）は、吸収体２の幅方向の両端部が幅方向内側に向かって山形形状に形成されているが、形状は図１に示される形状に限らない。また、本実施形態では、各切欠き部（７１、７２、７３）において吸収体２（吸収性コア２Ａ）が切り欠かれているが、吸収体２の他の部分よりも液体吸収性素材の目付量を少なくすることによって形成されてもよい。一対の各切欠き部（７１、７２、７３）によって吸収性コア２Ａのよれや、おむつ１と着用者との間に隙間が生じるのを抑え、排泄物の漏れを抑制できる。
【００５７】
＜＜おむつのサイズ表記について＞＞
一般に、使い捨ておむつは、乳幼児用や大人用を問わず、おむつの非肌側面に当該おむつのサイズを示すサイズ表記を有していることが多い。使い捨ておむつを各一般家庭で使用する場合は、着用者も限られ、着用の度におむつのサイズを確認する機会は少ない可能性もあるが、病院等の医療現場においては、不特定多数の患者（着用者）のおむつの交換を行うことが多く、各患者に合わせたサイズのおむつを装着させるために、サイズの確認は頻繁に行われる。
【００５８】
また、医療現場におけるおむつのサイズの確認は、使用前だけでなく、使用後におむつの重量を測定する場合にも必要となることもあり、サイズ表記の見やすさが求められる。しかし、従来の製品では、サイズ表記の位置が分かりにくい場合や、おむつに皺等が寄ってサイズ表記自体が見えにくい場合などがあった。
【００５９】
この点につき、本実施形態のおむつ１は、以下のような構成を備えている。図４は、展開且つ伸長した状態のおむつ１を厚さ方向の非肌側から見た概略平面図である。図５Ａは、図４の使い捨ておむつ１の腹側を説明する部分拡大図であり、図５Ｂは、サイズ表記部１００と吸収体２との配置関係を説明する図である。
【００６０】
図４及び図５Ａに示すように、おむつ１には、おむつ１のサイズを示し、且つ、おむつ１の非肌側から視認可能であるサイズ表記部１００が設けられている。本実施形態では、サイズ表記部１００は、「４Ｓ」と示された数字及び文字部分を意味するが、サイズ表示部１００は、数字及び文字の組合せに限定されず、数字のみの表記や、文字のみの表記でもよい。また、使用者（例えば、看護師等のおむつの交換者）にサイズを認識させることができる何らかのマーク等であってもよい。また、本実施形態のサイズ表記部１００は、バックシート４の非肌側面に印刷することによって設けられているが、おむつ１の非肌側から視認可能であれば、何等これに限らない。
【００６１】
そして、サイズ表記部１００は、図５Ａに示すように、おむつ１の幅方向の中央（中央位置ＣＬ１）を跨ぐように配置されている。おむつ１の幅方向の中央（中央位置ＣＬ１）を跨ぐ位置は、装着時におむつ１の交換者（看護師等）にとって視認しやすい位置である。それ故、そのような位置にサイズ表記部１００を設けることで、おむつ１のサイズの確認を行い易くなり、サイズを誤認する可能性を低減できる。また、使用前に製品（おむつ１）を包装袋から取り出した状態においても、幅方向の中央は、折りや皺が入る可能性が低く、サイズ表記部１００が綺麗に見え易い部分である。
【００６２】
また、図５Ｂでは、図５Ａにおけるサイズ表記部１００及び吸収体２のみを示している。サイズ表記部１００の「４Ｓ」という表記部分のうち、長手方向における外側端から内側端までの長さをＬ１とし、長さＬ１のうち、吸収体２と長手方向に重なっている長さをＬ２、重なっていない長さをＬ３とすると、長手方向に重なっている長さＬ２の方が長くなっている（Ｌ２＞Ｌ３）。すなわち、サイズ表記部１００は、長手方向において、吸収体２と半分以上重なるように配置されている。また、幅方向においては、サイズ表記部１００の「４Ｓ」という表記部分のうちの両側端Ｗ１及びＷ２が吸収体２の幅方向の両側端よりも内側に位置している。つまり、サイズ表記部１００は、吸収体２と幅方向において全て重なっている。但し、これに限らず、サイズ表記部１００は、幅方向においても吸収体２と半分以上重なるように配置されていればよい。
【００６３】
おむつ１において、吸収体２の部分は、厚みがあることで製品に張りがあり、皺等が発生しにくい部分である。そのような吸収体２と幅方向及び長手方向において半分以上重なるようにサイズ表記部１００を設けることで、重なっている部分、すなわち、サイズ表記部１００のうちの大部分が視認しやすくなる。
【００６４】
また、おむつ１が、本実施形態のような低体重児用の小さいサイズのおむつである場合、製品を包装体内に保管しているときは吸収体２のない部分を折り込んだ状態にすることが多い。しかし、サイズ表記部１００を幅方向及び長手方向において、吸収体２と半分以上重なるように配置することで、折り込んだ状態のおむつ１を取り出したときにも、サイズ表記部１００は半分以上が視認できるため、看護師等の使用者は、サイズを確認しやすい。
【００６５】
次に、図６Ａは、サイズ表記部１００と吸収体２との配置関係の一例を示す図であり、図６Ｂは、サイズ表記部１００と吸収体２との配置関係の別の一例を示す図である。図６Ａ及び図６Ｂは、説明の便宜上、サイズ表示部１００と吸収体２のみを示している。
【００６６】
図６Ａに示すように、サイズ表記部１００は、幅方向及び長手方向において、吸収体２と完全に重なるように配置されてもよい。図６Ａのサイズ表記部１００は、幅方向において吸収体２の略中央、且つ、長手方向においては吸収体２の上端２ｅａに近い位置に配置されているが、これに限らない。吸収体２の幅方向の端部に寄っていても、長手方向において、より下側に配置されてもよい。吸収体２の部分は、厚みがあることで製品に張りがあり、皺等が発生しにくい部分であることから、そのような吸収体２と幅方向及び長手方向において完全に重なるようにサイズ表記部１００を配置することで、サイズ表記部１００はより視認しやすくなる。
【００６７】
図５に戻り、おむつ１は、長手方向の中央部に幅方向に沿った折り線ＦＬ（長手方向の中央位置ＣＬ２に相当）を有している。また、図５Ａに示すように、一つの胴回り開口部となる側（所謂、長手方向の外側端）を上側、股下部１Ｃを下側とすると、サイズ表記部１００は、腹側部１Ｂにおいて、折り線ＦＬで二つ折りしたおむつ１の上下方向の中央ＭＬよりも上側に配置されている。
【００６８】
腹側部１Ｂの上下方向の中央ＭＬよりも上側の位置は、装着前に製品を取り出したときに、使用者である看護師等がサイズを確認しやすい位置である。そのような位置にサイズ表記部１００を設けることで、サイズの誤認の可能性を低減する。また、低体重児が着用者である場合、着用するおむつ１のサイズは通常よりも小さいことから、着用中に低体重児の両親が小さいサイズのサイズ表記を確認すると、低体重児に対する心配や不安感といったネガティブな感情を抱き易い。しかし、腹側部１Ｂの上下方向の中央ＭＬよりも上側の位置は、ファスニングテープ４０を係止させるターゲット領域４５も存在し、サイズ表記部１００がファスニングテープ４０の係止によって隠れる可能性が高い部分である。それにより、おむつ１の装着中にサイズ表記部１００を見えにくくさせ得る。見えにくくすることで、低体重児の両親がサイズ表記部１００を認識し難くなり、ネガティブな感情を抱く可能性を低減できる。
【００６９】
また、図６Ｂに示すように、サイズ表記部１００の一部は、長手方向において、吸収体２よりも外側に位置していてもよい。低体重児用のおむつ１の場合、おむつ１を児に装着させる際、体に取り付けられている医療器具におむつが接触することを避けるために、或いは、おむつ１の大きさをさらに小さくする等のために、腹側部１Ｂにおいて、吸収体２の長手方向の外側端２ｅａの位置でおむつ１を幅方向に沿って折り返して使用することも多い。その場合、吸収体２よりも長手方向の外側に位置しているサイズ表記部１００の一部は、一緒に折り返されて隠れることになり、サイズが視認しにくくなる。それにより、低体重児の両親が小さいサイズに対してネガティブな感情を抱くことを防止できる。
【００７０】
また、図４及び図５Ａに示すように、サイズ表記部１００は、ハート型である所定の図柄１０５によって取り囲まれており、つまり、所定の図柄１０５の内側に位置している。所定の図柄１０５の内側にサイズ表記部１００を位置させることで、図柄１０５と共にサイズ表記部１００が目立ち、使用者である看護師等はサイズを確認しやすくなる。また、サイズ表記部１００がハート型である図柄１０５によって囲まれることで図柄としても認識し易くなるため、サイズを視認し易くなるだけでなく、視認した際に癒し効果も与え得る。尚、所定の図柄１０５はハート型に限らず、サイズ表記部１００を囲むことができる任意の形状の図柄を用いることができる。
【００７１】
また、所定の図柄１０５の面積は、サイズ表記部１００の面積よりも大きいことが好ましい。所定の図柄１０５及びサイズ表記部１００のそれぞれの面積を求める方法は、例えば、サイズ表記部１００を含む所定の図柄１０５の部分をパーソナルコンピュータに取り込み、面積計測を行うことができるソフトウェアでそれぞれの面積を計測することができる。所定の図柄１０５の面積の方が大きいことで、単なるサイズを示す数字的要素よりも柄としての要素が大きくなるため、おむつ１の交換者や、低体重児を見守る両親に対して、癒し効果を与え得る。
【００７２】
図７は、折り線ＦＬで二つ折りした状態のおむつ１を示す図である。図７に示すように、展開状態のおむつ１を長手方向の中央部における折り線ＦＬで二つ折りにしたとき、ファスニングテープ４０を幅方向に沿って幅方向の内側に延長させた延長領域４０ｅｘは、長手方向及び幅方向において、サイズ表記部１００と重なる部分を有している。
【００７３】
おむつ１を着用者に装着させる際、ファスニングテープ４０を実際にどの位置に係止させるべきか迷うこともあるが、延長領域４０ｅｘが長手方向及び幅方向においてサイズ表記部１００と重なる部分を有する構成により、装着時に、サイズ表記部１００を目印として各ファスニングテープ４０をサイズ表記部１００に重ねるように係止させれば、ファスニングテープ４０を低体重児の体に対してまっすぐに貼ることができる。また、このような構成により、おむつ１の装着時に、ファスニングテープ４０によってサイズ表記部１００が隠れる可能性が高くなり、装着中におむつのサイズを視認し難くさせることができる。
【００７４】
図４に戻り、本実施形態のおむつ１には、背側部１Ａにおいて、サイズ表記部１００とは異なる背側サイズ表記部１１０が設けられている。背側サイズ表記部１１０、サイズ表記部１００と同様に、ここでは、例として「４Ｓ」と示された数字及び文字部分を意味する。尚、背側サイズ表示部１１０は、数字及び文字の組合せに限定されず、数字のみの表記や、文字のみの表記でもよい。また、使用者である看護師等にサイズを認識させることができる何らかのマーク等であってもよい。このように、腹側部１Ｂだけでなく、背側部１Ａにおいてもおむつ１のサイズを示す背側サイズ表示部１１０を有することで、おむつ１の前後（腹側及び背側）のいずれにおいてもサイズの確認ができ、サイズの誤認をより防止しやすくなる。
【００７５】
また、サイズ表記部１００は、背側サイズ表記部１１０よりも大きいことが好ましい。腹側部１Ｂのサイズ表記部１００は、装着時におむつ１の交換者が視認しやすい位置にあるため、ある程度目立つ大きさにすることで、交換者（看護師等）はサイズの確認を行いやすくなる。また、腹側部１Ｂのサイズ表記部１００は、装着時にファスニングテープ４０を係止することによって隠れる可能性があるため、低体重児の両親からは見えにくくすることができる。一方で、背側部１Ａの背側サイズ表記部１１０は、装着中も隠すことが難しいため、なるべく小さい表記である方が目立たず、低体重児の両親に気づかれ難くなる。
【００７６】
また、おむつ１の前後（腹側及び背側）で大きさが異なるサイズ表記部を有することで、おむつ１の交換者は、前後認識がし易くなる。さらに、装着中に低体重児が腹臥位の状態になり、背側部１Ａ側が両親等の見守る人とって見えやすい状態になった場合でも、背側サイズ表記部１１０を小さい表記部にしておくことで視認されにくい。尚、サイズ表記部１００と背側サイズ表記部１１０との大きさの比較は、それぞれの表記部の合計面積を比較することによって行う。例えば、サイズ表記部１００の部分と、背側サイズ表記部１１０の部分をそれぞれパーソナルコンピュータに取り込み、面積計測を行うことができるソフトウェアでそれぞれの面積を計測し、比較することができる。
【００７７】
また、図４に示すように、背側サイズ表記部１１０は、サイズ表記部１００よりも幅方向の外側に配置されている。腹側部１Ｂのサイズ表記部１００とは異なる背側サイズ表記部１１０は、背側部１Ａに設けられているため、おむつ１の装着中も隠れにくい。従って、なるべくおむつ１の幅方向外側に位置させることで、目立たなくさせる。一方で、看護師等の交換者は、交換時におむつ１を外し、おむつ１の肌側面を内側にしておむつ１を丸めてファスニングテープ４０で留めた後、おむつ１の重量を測定することがある。その際、丸めたおむつ１は、背側部１Ａの非肌側面が外側になり、幅方向の外側（おむつの端寄り）に背側サイズ表記部１１０を配置させておくことで、サイズの確認を行い易くなる。
【００７８】
また、図４では、背側サイズ表記部１１０が、幅方向において吸収体２と重ならないように配置されている。吸収体２の部分は、吸収体２の厚みにより張りがあって皺等が寄りにくく、当該吸収体２と重なる部分が多い程、背側サイズ表記部１１０は、見えやすくなる。しかしながら、背側サイズ表記部１１０を幅方向において吸収体２と重ならないようにすることで、背側サイズ表記部１１０を視認しにくくさせ、低体重児の両親等に小さいサイズを認識しづらくさせ得る。
【００７９】
尚、背側サイズ表記部１１０の一部は、幅方向において吸収体２と重なっていてもよい。すなわち、背側サイズ表記部１１０を視認し難くするために、幅方向において吸収体２と重ならない部分を有していればよい。それにより、背側サイズ表記部１１０は、視認しにくい部分を有することとなる。
【００８０】
また、本実施形態の背側サイズ表記部１１０は、図４に示すように、花柄である所定の図柄１１５によって取り囲まれており、つまり、所定の図柄１１５の内側に位置している。そして、背側サイズ表記部１１０の所定の図柄１１５（第２の図柄）は、サイズ表記部１００が配置されている所定の図柄１０５（第１の図柄）とは異なっている。おむつ１の前後でサイズ表記部（１００、１１０）を囲む図柄が異なることで、おむつ１の交換者は、柄を目安にして前後認識が容易になる。また、腹側部１Ｂのサイズ表記部１００は、装着時にファスニングテープ４０の係止により隠れることも考慮して、図柄を目立つようにしてもよい。また、背側部１Ａの背側サイズ表記部１１０は隠れにくいため、目立ちにくい図柄を用いることが好ましい。例えば、おむつの外観から視認可能な装飾図柄（不図示）と関連のある図柄等を用いることが好ましい。装飾図柄と関連性のある図柄にすることで、背側サイズ表記部１１０は装飾図柄に紛れ、目立たなくなる。それにより、低体重児の両親に気づかれにくくなる。尚、上述の装飾図柄は、例えば、バックシート４の非肌側面に、背側サイズ表記部１１０と共に設けられてもよい。
【００８１】
また、本実施形態のおむつ１は、図４に示すように、背側部１Ａ及び腹側部１Ｂにおいて、おむつ１の非肌側から視認可能なロゴマーク１２０を有している。ロゴマーク１２０は、例として、製造会社名を意味する「ＡＢＣ社」の文字をハート型の模様で囲んでいるが、ロゴマーク１２０の形態はこれに限定されず、任意のロゴマークを採用可能である。ロゴマーク１２０は、それぞれ、おむつ１を折り線ＦＬで二つ折りしたときに、上下方向において、ファスニングテープ４０の下端よりも下側に設けられている（図４及び図７参照）。そのような位置にロゴマーク１２０を配置することで、腹側部１Ｂにおいては、装着中においてもファスニングテープ４０によってロゴマーク１２０が隠れにくく、背側部１Ａにおいては、使用者（看護師や両親等）が視認しやすい。装着前後及び装着中にロゴマーク１２０を見せることで、製品ブランドに対する印象を高めることができる。尚、ロゴマーク１２０は、ファスニングテープ４０の上端よりも上側に設けられていてもよく、その場合にも、同様の効果が得られる。
【００８２】
また、サイズ表記部１００及び背側サイズ表記部１１０は、ロゴマーク１２０よりも大きいほうが好ましい。おむつ１のサイズを示すサイズ表記部１００や背側サイズ表記部１１０の方が目立つことで、おむつ１を包装袋から取り出した際に、サイズを誤認する可能性を低減する。
【００８３】
また、図４及び図５に示すように、サイズ表記部１００の幅方向の両側に、吸収体２の長手方向の端縁２ｅａに沿った線状図柄１０６が設けられている。低体重児用のおむつ１の場合、低体重児の体に取り付けられている医療機器を回避するために、或いは、低体重児の小さい体の大きさに合わせるために、腹側部１Ｂの長手方向の端部を吸収体２の端縁２ｅａに沿って折り返して使用することがある。そして、線状図柄１０６はその際の折り返しの基準線となる。よって、看護師等の交換者は、当該基準線を折り返しの目安として使用できる。また、おむつ１が当該線状図柄１０６の位置で折り返されることで、サイズ表記部１００の一部も同様に折り込まれて見えにくくなる。従って、装着中には、両親等にサイズ表記部１００が視認しにくくなり、低体重児を見守る両親が小さいサイズに対してネガティブな感情を抱く可能性を低減できる。尚、本実施形態の線状図柄１０６は、吸収体２の長手方向の端縁２ｅａに沿って設けられているが、これに限らない。すなわち、線状図柄１０６は、サイズ表記部１００の幅方向の両側において、吸収体２の長手方向の端縁２ｅａと幅方向に平行であればよい。
【００８４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００８５】
上述の実施形態では、線状図柄１０６は線状に形成されているが、これに限らない。吸収体２の長手方向の端縁２ｅａと幅方向に平行であり、且つ、長手方向の端部を折り返すための目安になるものであれば、非連続的な図柄等であってもよい。
【符号の説明】
【００８６】
１  おむつ（テープ型おむつ）、
１Ａ  背側部、
１Ｂ  腹側部、
１Ｃ  股下部、
２  吸収体、２Ａ  吸収性コア、２Ｂ  コアラップシート、
２ｃ  括れ部、２ｅａ  端縁、上端、２ｇａ  一端部、２ｇｂ  他端部
３  トップシート、４  防漏シート（バックシート）、５  外装シート、
６  サイドシート、７  脚回り弾性部材、
２０  サイドフラップ、
２０Ａ  第１延出部、
２０Ｂ  第２延出部、
４０  ファスニングテープ、４０ｅｘ  延長領域、
４１  テープ基材、４２  フック材、４５  ターゲット領域、
５０  立体ギャザー部、５１  弾性部材、５２  第１基端部（基端部）、
５３  第２基端部、５４  起立部、
６０  切り取り線、７１  切欠き部、７２  切欠き部、７３  切欠き部、
１００  サイズ表記部、１０５  所定の図柄（第１の図柄）、１０６  線状図柄、
１１０  背側サイズ表記部、１１５  所定の図柄（第２の図柄）、
１２０  ロゴマーク
【要約】
【課題】おむつの装着時に、交換者（看護師等）がサイズ表記を視認しやすい使い捨ておむつを提供する。
【解決手段】液吸収性の吸収体（２）を有する使い捨ておむつ（１）であって、使い捨ておむつ（１）のサイズを示し、且つ、使い捨ておむつ（１）の非肌側から視認可能であるサイズ表記部（１００）が設けられており、サイズ表記部（１００）は、使い捨ておむつ（１）の幅方向の中央を跨ぐように配置されている。
【選択図】図４【図１】
0006880157.tif 000002
【図２】
0006880157.tif 000003
【図３】
0006880157.tif 000004
【図４】
0006880157.tif 000005
【図５】
0006880157.tif 000006
【図６】
0006880157.tif 000007
【図７】
0006880157.tif 000008